【手続補正書】
【提出日】平成26年12月19日(2014.12.19)
【手続補正１】
【補正対象書類名】明細書
【補正対象項目名】００２０
【補正方法】変更
【補正の内容】
【００２０】
前記有効桁数復号部が前記最大有効桁数を示す符号を復号して得られた前記最大有効桁数を、所定の期間保持する最大有効桁数保持部をさらに備え、前記絶対値復号部は、前記最大有効桁数保持部により保持される前記最大有効桁数分の前記絶対値を示す符号を、前記有効桁数復号部による復号が行われた周期から、前記最大有効桁数保持部が前記最大有効桁数を保持した期間分遅延した周期において、復号することができる。
【手続補正２】
【補正対象書類名】明細書
【補正対象項目名】０２３８
【補正方法】変更
【補正の内容】
【０２３８】
また、ステップＳ６３の処理は、図１６の遅延部７１により、ステップＳ６４の処理に比べて、１周期（1cycle）分遅延されている。したがって、ステップＳ６３においては、ステップＳ６４の１組前の処理対象の組が処理対象とされる。
【手続補正３】
【補正対象書類名】明細書
【補正対象項目名】０３５９
【補正方法】変更
【補正の内容】
【０３５９】
また、ステップＳ１８３の処理は、図２４の遅延部１６１により、ステップＳ１８４の処理に比べて、１周期（1cycle）分遅延されている。したがって、ステップＳ１８３においては、ステップＳ１８４の１組前の処理対象の組が処理対象とされる。
【手続補正４】
【補正対象書類名】明細書
【補正対象項目名】０４６７
【補正方法】変更
【補正の内容】
【０４６７】
つまり、ウェーブレット変換部４１０は、ラインブロック（プレシンクト）毎にウェーブレット変換処理を行う。すなわち、ウェーブレット変換部４１０は、最低域成分までの分析フィルタ処理が可能な最小量の入力画像データが途中計算用バッファ部４１１に蓄積され次第、ウェーブレット変換処理を開始する。
【手続補正５】
【補正対象書類名】明細書
【補正対象項目名】０４７５
【補正方法】変更
【補正の内容】
【０４７５】
［画像復号装置］
図４０は、画像復号装置の他の構成例を示すブロック図である。図４０に示される画像復号装置４２０は、図３９の画像符号化装置４０１に対応する画像処理装置である。つまり、画像復号装置４２０は、画像符号化装置４０１が、画像データを符号化して生成した符号化データを復号し、復号画像データを生成する。
【手続補正６】
【補正対象書類名】明細書
【補正対象項目名】０４９７
【補正方法】変更
【補正の内容】
【０４９７】
＜６．第６の実施の形態＞
［パーソナルコンピュータ］
上述した一連の処理は、ハードウエアにより実行させることもできるし、ソフトウェアにより実行させることもできる。この場合、例えば、図４２に示されるようなパーソナルコンピュータとして構成されるようにしてもよい。
【手続補正７】
【補正対象書類名】明細書
【補正対象項目名】０５０８
【補正方法】変更
【補正の内容】
【０５０８】
なお、本技術は以下のような構成も取ることができる。
（１）  画像データから生成された複数の係数データを所定の数毎に１組とし、毎周期１組ずつ、絶対値が最も大きい係数データの有効桁数である最大有効桁数を求め、前記最大有効桁数に関する情報を符号化する有効桁数符号化部と、
値が０の係数データのみで構成される組により構成されるゼロランを、前記有効桁数符号化部の符号化と異なる周期において符号化するゼロラン符号化部と、
前記ゼロラン以外の係数データについて、前記有効桁数符号化部が符号化した組の各係数データの前記最大有効桁数分の絶対値を抽出し、前記絶対値を、前記有効桁数符号化部の符号化と異なる周期において符号化する絶対値符号化部と、
前記ゼロラン以外の係数データについて、前記絶対値符号化部が符号化した組の前記絶対値が０でない各係数データの正負のサインを、前記絶対値符号化部の符号化と異なる周期において符号化するサイン符号化部と
を備える画像処理装置。
（２）  前記ゼロラン符号化部は、前記ゼロランを構成する前記組の数の２進表現の桁数より１少ない数の符号０と、前記組の数の２進表現とにより構成される符号を生成する
前記（１）に記載の画像処理装置。
（３）  前記ゼロラン符号化部は、前記ゼロランが処理対象のラインの最後まで続く場合、前記ゼロランを構成する前記組の数より１少ない数の２進表現の桁数の符号０と、符号１とにより構成される符号を生成する
前記（２）に記載の画像処理装置。
（４）  前記ゼロラン符号化部は、前記ゼロランが処理対象のラインの最後まで続く場合、前記ゼロランを構成する前記組の数より１少ない数の２進表現の桁数の符号０により構成される符号を生成する
前記（２）に記載の画像処理装置。
（５）  前記ゼロラン符号化部は、前記有効桁数符号化部が、前記ゼロランの後の組について前記最大有効桁数に関する情報を符号化する周期において、前記ゼロランを符号化する
前記（１）乃至（４）のいずれかに記載の画像処理装置。
（６）  前記ゼロラン符号化部は、前記有効桁数符号化部が、前記ゼロランの後の組について前記最大有効桁数に関する情報を符号化する周期よりも前の周期において、前記ゼロランを符号化する
前記（１）乃至（５）のいずれかに記載の画像処理装置。
（７）  画像データをウェーブレット変換するウェーブレット変換部と、
前記ウェーブレット変換部により画像データがウェーブレット変換されて得られたウェーブレット係数を量子化する量子化部と
をさらに備え、
前記有効桁数符号化部、前記ゼロラン符号化部、前記絶対値符号化部、および前記サイン符号化部は、それぞれ、前記量子化部により前記ウェーブレット係数が量子化されて得られた量子化係数について符号化を行う
前記（１）乃至（６）のいずれかに記載の画像処理装置。
（８）  画像処理装置の画像処理方法であって、
有効桁数符号化部が、画像データから生成された複数の係数データを所定の数毎に１組とし、毎周期１組ずつ、絶対値が最も大きい係数データの有効桁数である最大有効桁数を求め、前記最大有効桁数に関する情報を符号化し、
ゼロラン符号化部が、値が０の係数データのみで構成される組により構成されるゼロランを、前記有効桁数の符号化と異なる周期において符号化し、
絶対値符号化部が、前記ゼロラン以外の係数データについて、前記有効桁数の符号化が行われた組の各係数データの前記最大有効桁数分の絶対値を抽出し、前記絶対値を、前記有効桁数の符号化と異なる周期において符号化し、
サイン符号化部が、前記ゼロラン以外の係数データについて、前記絶対値が符号化された組の前記絶対値が０でない各係数データの正負のサインを、前記絶対値の符号化と異なる周期において符号化する
画像処理方法。
（９）  複数の係数データを所定の数毎に１組とし、前記組において絶対値が最も大きい係数データの有効桁数である最大有効桁数を示す符号を、毎周期１組ずつ、復号する有効桁数復号部と、
値が０の係数データのみで構成される組により構成されるゼロランを示す符号を、前記有効桁数復号部の復号と異なる周期において復号するゼロラン復号部と、
前記ゼロラン以外の係数データについて、前記有効桁数復号部が復号した組の各係数データの前記最大有効桁数分の絶対値を示す符号を、前記有効桁数復号部の復号と異なる周期において復号する絶対値復号部と、
前記ゼロラン以外の係数データについて、前記絶対値復号部が復号した組の前記絶対値が０でない各か係数データの正負のサインを、前記絶対値復号部の復号と異なる周期において復号するサイン復号部と
を備える画像処理装置。
（１０）  前記ゼロラン復号部は、前記有効桁数復号部による復号の結果、処理対象である今の組の最大有効桁数が０である場合、前記ゼロランを示す符号を復号する
前記（９）に記載の画像処理装置。
（１１）  前記ゼロラン復号部は、符号１を読み込むか、ラインの最後まで符号を読み込むまで、順次符号を読み込む１回目の読み込みを行い、前記１回目の読み込みで読み込んだ符号の示すゼロランが前記ラインの最後まで達していない場合、前記１回目の読み込みで読み込んだ符号０の数分の符号をさらに読み込む２回目の読み込みを行い、前記２回目の読み込みで読み込んだ符号の先頭に符号１をつけた符号列を２進表現とする数の、値が０の係数データを生成する
前記（１０）に記載の画像処理装置。
（１２）  前記ゼロラン復号部は、前記１回目の読み込みで読み込んだ符号の示すゼロランが前記ラインの最後まで達した場合、前記ラインの最後まで達する数の、値が０の係数データを生成する
前記（１１）に記載の画像処理装置。
（１３）  前記有効桁数復号部が前記最大有効桁数を示す符号を復号して得られた前記最大有効桁数を、所定の期間保持する最大有効桁数保持部をさらに備え、
前記絶対値復号部は、前記最大有効桁数保持部により保持される前記最大有効桁数分の前記絶対値を示す符号を、前記有効桁数復号部による復号が行われた周期から、前記最大有効桁数保持部が前記最大有効桁数を保持した期間分遅延した周期において、復号する
前記（１２）に記載の画像処理装置。
（１４）  前記最大有効桁数保持部は、前記最大有効桁数を、次の周期まで保持する
前記（１３）に記載の画像処理装置。
（１５）  前記最大有効桁数保持部は、前記最大有効桁数を、複数周期後の周期まで保持する
前記（１３）に記載の画像処理装置。
（１６）  前記絶対値復号部による復号の結果得られた絶対値、および、前記サイン復号部による復号の結果得られたサインよりなる量子化係数を逆量子化する逆量子化部と、
前記逆量子化部により前記量子化係数が逆量子化されて得られたウェーブレット係数を、ウェーブレット逆変換するウェーブレット逆変換部と
をさらに備える前記（９）乃至（１５）に記載の画像処理装置。
（１７）  画像処理装置の画像処理方法であって、
有効桁数復号部が、複数の係数データを所定の数毎に１組とし、前記組において絶対値が最も大きい係数データの有効桁数である最大有効桁数を示す符号を、毎周期１組ずつ、復号し、
ゼロラン復号部が、値が０の係数データのみで構成される組により構成されるゼロランを示す符号を、前記有効桁数の復号と異なる周期において復号し、
絶対値復号部が、前記ゼロラン以外の係数データについて、前記有効桁数が復号された組の各係数データの前記最大有効桁数分の絶対値を示す符号を、前記有効桁数の復号と異なる周期において復号し、
サイン復号部が、前記ゼロラン以外の係数データについて、前記絶対値が復号された組の前記絶対値が０でない各か係数データの正負のサインを、前記絶対値の復号と異なる周期において復号する
画像処理方法。
【手続補正８】
【補正対象書類名】特許請求の範囲
【補正対象項目名】全文
【補正方法】変更
【補正の内容】
【特許請求の範囲】
【請求項１】
画像データから生成された複数の係数データを所定の数毎に１組とし、毎周期１組ずつ、絶対値が最も大きい係数データの有効桁数である最大有効桁数を求め、前記最大有効桁数に関する情報を符号化する有効桁数符号化部と、
値が０の係数データのみで構成される組により構成されるゼロランを、前記有効桁数符号化部の符号化と異なる周期において符号化するゼロラン符号化部と、
前記ゼロラン以外の係数データについて、前記有効桁数符号化部が符号化した組の各係数データの前記最大有効桁数分の絶対値を抽出し、前記絶対値を、前記有効桁数符号化部の符号化と異なる周期において符号化する絶対値符号化部と、
前記ゼロラン以外の係数データについて、前記絶対値符号化部が符号化した組の前記絶対値が０でない各係数データの正負のサインを、前記絶対値符号化部の符号化と異なる周期において符号化するサイン符号化部と
を備える画像処理装置。
【請求項２】
前記ゼロラン符号化部は、前記ゼロランを構成する前記組の数の２進表現の桁数より１少ない数の符号０と、前記組の数の２進表現とにより構成される符号を生成する
請求項１に記載の画像処理装置。
【請求項３】
前記ゼロラン符号化部は、前記ゼロランが処理対象のラインの最後まで続く場合、前記ゼロランを構成する前記組の数より１少ない数の２進表現の桁数の符号０と、符号１とにより構成される符号を生成する
請求項２に記載の画像処理装置。
【請求項４】
前記ゼロラン符号化部は、前記ゼロランが処理対象のラインの最後まで続く場合、前記ゼロランを構成する前記組の数より１少ない数の２進表現の桁数の符号０により構成される符号を生成する
請求項２に記載の画像処理装置。
【請求項５】
前記ゼロラン符号化部は、前記有効桁数符号化部が、前記ゼロランの後の組について前記最大有効桁数に関する情報を符号化する周期において、前記ゼロランを符号化する
請求項１乃至請求項４のいずれかに記載の画像処理装置。
【請求項６】
前記ゼロラン符号化部は、前記有効桁数符号化部が、前記ゼロランの後の組について前記最大有効桁数に関する情報を符号化する周期よりも前の周期において、前記ゼロランを符号化する
請求項１乃至請求項５のいずれかに記載の画像処理装置。
【請求項７】
画像データをウェーブレット変換するウェーブレット変換部と、
前記ウェーブレット変換部により画像データがウェーブレット変換されて得られたウェーブレット係数を量子化する量子化部と
をさらに備え、
前記有効桁数符号化部、前記ゼロラン符号化部、前記絶対値符号化部、および前記サイン符号化部は、それぞれ、前記量子化部により前記ウェーブレット係数が量子化されて得られた量子化係数について符号化を行う
請求項１乃至請求項６のいずれかに記載の画像処理装置。
【請求項８】
画像処理装置の画像処理方法であって、
有効桁数符号化部が、画像データから生成された複数の係数データを所定の数毎に１組とし、毎周期１組ずつ、絶対値が最も大きい係数データの有効桁数である最大有効桁数を求め、前記最大有効桁数に関する情報を符号化し、
ゼロラン符号化部が、値が０の係数データのみで構成される組により構成されるゼロランを、前記有効桁数の符号化と異なる周期において符号化し、
絶対値符号化部が、前記ゼロラン以外の係数データについて、前記有効桁数の符号化が行われた組の各係数データの前記最大有効桁数分の絶対値を抽出し、前記絶対値を、前記有効桁数の符号化と異なる周期において符号化し、
サイン符号化部が、前記ゼロラン以外の係数データについて、前記絶対値が符号化された組の前記絶対値が０でない各係数データの正負のサインを、前記絶対値の符号化と異なる周期において符号化する
画像処理方法。
【請求項９】
複数の係数データを所定の数毎に１組とし、前記組において絶対値が最も大きい係数データの有効桁数である最大有効桁数を示す符号を、毎周期１組ずつ、復号する有効桁数復号部と、
値が０の係数データのみで構成される組により構成されるゼロランを示す符号を、前記有効桁数復号部の復号と異なる周期において復号するゼロラン復号部と、
前記ゼロラン以外の係数データについて、前記有効桁数復号部が復号した組の各係数データの前記最大有効桁数分の絶対値を示す符号を、前記有効桁数復号部の復号と異なる周期において復号する絶対値復号部と、
前記ゼロラン以外の係数データについて、前記絶対値復号部が復号した組の前記絶対値が０でない各か係数データの正負のサインを、前記絶対値復号部の復号と異なる周期において復号するサイン復号部と
を備える画像処理装置。
【請求項１０】
前記ゼロラン復号部は、前記有効桁数復号部による復号の結果、処理対象である今の組の最大有効桁数が０である場合、前記ゼロランを示す符号を復号する
請求項９に記載の画像処理装置。
【請求項１１】
前記ゼロラン復号部は、符号１を読み込むか、ラインの最後まで符号を読み込むまで、順次符号を読み込む１回目の読み込みを行い、前記１回目の読み込みで読み込んだ符号の示すゼロランが前記ラインの最後まで達していない場合、前記１回目の読み込みで読み込んだ符号０の数分の符号をさらに読み込む２回目の読み込みを行い、前記２回目の読み込みで読み込んだ符号の先頭に符号１をつけた符号列を２進表現とする数の、値が０の係数データを生成する
請求項１０に記載の画像処理装置。
【請求項１２】
前記ゼロラン復号部は、前記１回目の読み込みで読み込んだ符号の示すゼロランが前記ラインの最後まで達した場合、前記ラインの最後まで達する数の、値が０の係数データを生成する
請求項１１に記載の画像処理装置。
【請求項１３】
前記有効桁数復号部が前記最大有効桁数を示す符号を復号して得られた前記最大有効桁数を、所定の期間保持する最大有効桁数保持部をさらに備え、
前記絶対値復号部は、前記最大有効桁数保持部により保持される前記最大有効桁数分の前記絶対値を示す符号を、前記有効桁数復号部による復号が行われた周期から、前記最大有効桁数保持部が前記最大有効桁数を保持した期間分遅延した周期において、復号する
請求項１２に記載の画像処理装置。
【請求項１４】
前記最大有効桁数保持部は、前記最大有効桁数を、次の周期まで保持する
請求項１３に記載の画像処理装置。
【請求項１５】
前記最大有効桁数保持部は、前記最大有効桁数を、複数周期後の周期まで保持する
請求項１３に記載の画像処理装置。
【請求項１６】
前記絶対値復号部による復号の結果得られた絶対値、および、前記サイン復号部による復号の結果得られたサインよりなる量子化係数を逆量子化する逆量子化部と、
前記逆量子化部により前記量子化係数が逆量子化されて得られたウェーブレット係数を、ウェーブレット逆変換するウェーブレット逆変換部と
をさらに備える請求項９乃至請求項１５のいずれかに記載の画像処理装置。
【請求項１７】
画像処理装置の画像処理方法であって、
有効桁数復号部が、複数の係数データを所定の数毎に１組とし、前記組において絶対値が最も大きい係数データの有効桁数である最大有効桁数を示す符号を、毎周期１組ずつ、復号し、
ゼロラン復号部が、値が０の係数データのみで構成される組により構成されるゼロランを示す符号を、前記有効桁数の復号と異なる周期において復号し、
絶対値復号部が、前記ゼロラン以外の係数データについて、前記有効桁数が復号された組の各係数データの前記最大有効桁数分の絶対値を示す符号を、前記有効桁数の復号と異なる周期において復号し、
サイン復号部が、前記ゼロラン以外の係数データについて、前記絶対値が復号された組の前記絶対値が０でない各か係数データの正負のサインを、前記絶対値の復号と異なる周期において復号する
画像処理方法。
【手続補正９】
【補正対象書類名】図面
【補正対象項目名】図３
【補正方法】変更
【補正の内容】
【図３】
2013131938.tif 000001
【手続補正１０】
【補正対象書類名】図面
【補正対象項目名】図４
【補正方法】変更
【補正の内容】
【図４】
2013131938.tif 000002
【手続補正１１】
【補正対象書類名】図面
【補正対象項目名】図６
【補正方法】変更
【補正の内容】
【図６】
2013131938.tif 000003
【手続補正１２】
【補正対象書類名】図面
【補正対象項目名】図８
【補正方法】変更
【補正の内容】
【図８】
2013131938.tif 000004
【手続補正１３】
【補正対象書類名】図面
【補正対象項目名】図４０
【補正方法】変更
【補正の内容】
【図４０】
2013131938.tif 000005